(57)【要約】    【課題】プラグの回転によりイヤホンジャックが破損することを防止し得るイヤホンジャック及びこれを備えた携帯端末機を提供する。    【解決手段】イヤホンジャックは、プラグが挿入される挿入通路４０が形成されるとともに、端子装着部６４を有するボディーと、挿入通路４０に順次装着されて、挿入されたプラグのバー型接続部と接触するプレート型接続端子４４ａ，ｂ，ｃと、端子装着部６４の外周面に装着されて、挿入されたプラグのリング型接続部５８に挿入（嵌挿）されるリング型接続端子５０と、リング型接続端子５０と端子装着部６４との間に形成されて、リング型接続端子５０が端子装着部６４に対して相対的に回転することを防止する回転防止部７０と、を含んで構成される。【選択図】図２
2006190680.tif 000002
【特許請求の範囲】
【請求項１】
プラグが挿入される挿入通路が形成されるとともに、端子装着部を有するボディーと、
前記挿入通路に装着されて、該挿入通路に挿入されたプラグのバー型接続部と接触するプレート型接続端子と、
前記端子装着部の外周面に装着されて、前記挿入通路に挿入されたプラグのリング型接続部に挿入される接続端子と、
該接続端子と前記端子装着部との間に形成されて、該接続端子が前記端子装着部に対して相対的に回転することを防止する回転防止部と、
を含んで構成されることを特徴とするイヤホンジャック。
【請求項２】
前記回転防止部は、
前記端子装着部の外周面に突設されるロックリブと、
前記接続端子の内周面に内側方向に突設されて、前記ロックリブの側面に係止されるロック突起と、
を含んで構成されることを特徴とする請求項１に記載のイヤホンジャック。
【請求項３】
前記ロックリブは、前記端子装着部の外周面に軸方向に所定の長さを有して突設されることを特徴とする請求項２に記載のイヤホンジャック。
【請求項４】
前記ロック突起は、前記接続端子の内側方向に凸状に突設されることを特徴とする請求項２に記載のイヤホンジャック。
【請求項５】
前記ロックリブは、前記端子装着部の外周面に、周方向に所定間隔を有する一対のロックリブとして構成され、この一対のロックリブの間に前記ロック突起が配置されることを特徴とする請求項２に記載のイヤホンジャック。
【請求項６】
前記ロック突起は、前記接続端子の内周面に、周方向に所定間隔を有する一対のロック突起として構成され、前記ロックリブの両側面に係止されることを特徴とする請求項２に記載のイヤホンジャック。
【請求項７】
前記回転防止部は、
前記接続端子の端部から延設される係止突起と、
前記ボディーに形成されて前記係止突起が挿入されて係止される係止穴と、
を含んで構成されることを特徴とする請求項１に記載のイヤホンジャック。
【請求項８】
前記接続端子と前記端子装着部との間に形成されて、前記接続端子が前記端子装着部から離脱することを防止する離脱防止部をさらに含むことを特徴とする請求項１に記載のイヤホンジャック。
【請求項９】
前記離脱防止部は、
前記端子装着部の外周面に円周方向に形成されるロックグルーブと、
前記接続端子の内周面に形成されて前記ロックグルーブに係止されるロック突起と、
を含んで構成されることを特徴とする請求項８に記載のイヤホンジャック。
【請求項１０】
前記ロックグルーブは、前記端子装着部の外周面に、軸方向に所定間隔を有して設けられる二つの突出部によって形成されることを特徴とする請求項９に記載のイヤホンジャック。
【請求項１１】
前記ロック突起は、前記接続端子の内側方向に凸状に突設されることを特徴とする請求項９に記載のイヤホンジャック。
【請求項１２】
各種回路部品が実装されるＰＣＢを備えた本体と、
該本体に回動可能に連結され、所定の情報を表示するＬＣＤを備えた蓋部と、
前記ＰＣＢの一方側に装着されてイヤホンのプラグが挿入されるイヤホンジャックと、を有し、
前記イヤホンジャックは、
前記プラグが挿入される挿入通路が形成されるボディーと、
該ボディーに形成される端子装着部と、
該端子装着部の外側面に装着されて、挿入されたプラグの接続部に挿入される接続端子と、
前記接続端子の内周面と前記端子装着部の外周面との間に形成されて、前記接続端子が前記端子装着部に対して相対的に回転することを防止する回転防止部と、
を含んで構成されることを特徴とする携帯端末機。
【請求項１３】
前記回転防止部は、
前記端子装着部の外周面に突設されるロックリブと、
前記接続端子の内周面に内側方向に突設されて前記ロックリブの側面に係止されるロック突起と、
を含んで構成されることを特徴とする請求項１２に記載の携帯端末機。
【請求項１４】
前記ロックリブは、前記端子装着部の外周面に軸方向に所定の長さを有して突設されることを特徴とする請求項１２に記載の携帯端末機。
【請求項１５】
前記接続端子と前記端子装着部との間に形成されて前記接続端子が前記端子装着部から離脱することを防止する離脱防止部をさらに含むことを特徴とする請求項１２に記載の携帯端末機。
【請求項１６】
前記離脱防止部は、
前記端子装着部の外周面に円周方向に形成されるロックグルーブと、
前記接続端子の内周面に形成されて前記ロックグルーブに係止されるロック突起と、
を含んで構成されることを特徴とする請求項１５に記載の携帯端末機。
【請求項１７】
前記ロックグルーブは、前記端子装着部の外周面に軸方向に所定間隔を有して形成される二つの突出部の間に形成されることを特徴とする請求項１６に記載の携帯端末機。
【発明の詳細な説明】
【技術分野】
【０００１】
本発明は、イヤホンジャック（ear-jack）に関し、特に、イヤホン（earphone）のプラグ（plug）の回転によりイヤホンジャックが破損することを防止し得るイヤホンジャック及びこれを備えた携帯端末機に関する。
【背景技術】
【０００２】
図８は、従来の技術に係る携帯端末機のイヤホンジャックの斜視図であり、図９は、従来の技術に係るイヤホンジャックにイヤホンのプラグが挿入された状態を示す断面図である。
【０００３】
従来の技術に係るイヤホンジャック１１０は、携帯端末機のプリント基板（以下「ＰＣＢ」という）１０２に装着され、中央にイヤホンのプラグ１０４が挿入される挿入通路１０８が形成されたボディー１０６と、ボディー１０６の挿入通路１０８に所定間隔を置いて装着され、ＰＣＢ１０２にハンダ付けなどで接続されてプラグ１０４のバー型（bar type）接続部１３８と電気的に接続するプレート型接続端子１２０ａ、１２０ｂ、１２０ｃと、ボディー１０６の前方（プラグ１０４が挿入される側）に装着され、プラグ１０４のリング型接続部１３０に挿入（嵌挿）されるリング型（ring type）接続端子１２２とから構成される。
【０００４】
一方、イヤホンのプラグ１０４は、イヤホンコードが連結されるプラグ本体１３２と、このプラグ本体１３２から延設され、所定間隔を置いて第１接続部１３４ａ、第２接続部１３４ｂ、第３接続部１３４ｃが絶縁層１３６を境界として（挟んで）順次形成されるバー型接続部１３８と、プラグ本体１３２に装着され、バー型接続部１３８の外周面から所定間隔を有してリング状に形成されるリング型接続部１３０とから構成される。
【０００５】
イヤホンジャック１１０のボディー１０６には、挿入通路１０８の内部に、該挿入通路１０８に挿入されたプラグ１０４のバー型接続部１３８と接触するプレート型接続端子１２０ａ、１２０ｂ、１２０ｃが順次装着されており、その前方（プラグ１０４が挿入される側）には、リング型接続端子１２２が装着される円筒状の端子装着部１４０が形成される。
【０００６】
プレート型接続端子１２０ａ、１２０ｂ、１２０ｃは、プラグ１０４側の第１接続部１３４ａと弾性的に接触する第１接続端子１２０ａと、この第１接続端子１２０ａと所定間隔を置いて配置され、プラグ１０４側の第２接続部１３４ｂと接触する第２接続端子１２０ｂと、この第２接続端子１２０ｂと所定間隔を置いて配置され、プラグ１０４側の第３接続部１３４ｃと接触する第３接続端子１２０ｃとから構成される。
【０００７】
リング型接続端子１２２は、円筒状に形成されてボディー１０６の端子装着部１４０の外周面上に装着される。リング型接続端子１２２の一方側には、ＰＣＢ１０２にハンダ付けなどで接続されて電気信号を伝達する接続板１４２が一体に形成されている。ここで、接続板１４２は、薄板状に形成されてリング型接続端子１２２の後方（プラグ１０４が挿入される側の反対側）に一体に延設されており、ボディー１０６に固定されるとともに、ＰＣＢ１０２にハンダ付けなどの方法で接続される。
【０００８】
このような従来の技術に係るイヤホンジャック１１０は、プラグ１０４の装着（挿入）時には、プラグ１０４のバー型接続部１３８が挿入通路１０８に挿入されると共に、リング型接続端子１２２がプラグ１０４のリング型接続部１３０に挿入（嵌挿）される。
【０００９】
そうすると、プラグ１０４側のバー型接続部１３８の第１接続部１３４ａがイヤホンジャック１１０側の挿入通路１０８の内部に装着された第１接続端子１２０ａに接触し、第２接続部１３４ｂが第２接続端子１２０ｂに接触し、第３接続部１３４ｃが第３接続端子１２０ｃに接触する。また、プラグ１０４側のリング型接続部１３０の内周面とイヤホンジャック１１０側のリング型接続端子１２２の外周面とが接触する。これにより、携帯端末機からの電気信号をイヤホンに伝達し、あるいは、イヤホンからの電気信号を携帯端末機に伝達する。
【発明の開示】
【発明が解決しようとする課題】
【００１０】
しかしながら、前述したように構成される従来の技術に係るイヤホンジャック１１０においては、プラグ１０４を装着（挿入）した後に、例えば使用者がプラグ１０４を回転させる場合、イヤホンジャック１１０側のリング型接続端子１２２がプラグ１０４側のリング型接続部１０３に挿入（嵌挿）された状態で回転することになるため、リング型接続端子１２２に回転モーメントが発生してリング型接続端子１２２と接続板１４２との間の連結部位が破損したり、接続板１４２とＰＣＢ１０２との間のハンダ付け部位が破損したりするおそれがあった。
【００１１】
すなわち、プラグ１０４をイヤホンジャック１１０に挿入された状態で回転させると、プラグ１０４のリング型接続部１３０にリング型接続端子１２２が弾性的に（嵌挿）されているため、プラグ１０４側のリング型接続部１３０の回転力がイヤホンジャック１１０側のリング型接続端子１２２に伝達されてリング型接続端子１２２に回転モーメントを持続的に発生させ、この回転モーメントによってリング型接続端子１２２と接続板１４２との間の連結部位が破損したり、ＰＣＢ１０２と接続板１４２との間のハンダ付け部位が破損したりするおそれがあるという問題点を有していた。
【００１２】
本発明は、このような従来の技術の問題点を解決するために提案されたもので、その目的は、ボディーとリング型接続端子との間を互いにロックすることにより、プラグが回転してもリング型接続端子に回転モーメントが発生することを防止し、これによりプラグの回転によりイヤホンジャックが破損することを防止し得るイヤホンジャック及びこれを備えた携帯端末機を提供することにある。
【課題を解決するための手段】
【００１３】
このような目的を達成するために、本発明に係るイヤホンジャックは、プラグが挿入される挿入通路が形成されるとともに、端子装着部を有するボディーと、前記挿入通路に装着されて、該挿入通路に挿入されたプラグのバー型接続部と接触するプレート型接続端子と、前記端子装着部の外周面に装着されて、前記挿入通路に挿入されたプラグのリング型接続部に挿入（嵌挿）される接続端子と、該接続端子と前記端子装着部との間に形成されて、該接続端子が前記端子装着部に対して相対的に回転することを防止する回転防止部と、を含んで構成されることを特徴とする。
【００１４】
また、前記回転防止部は、前記端子装着部の外周面に突設されるロックリブと、前記接続端子の内周面に内側方向に突設されて、前記ロックリブの側面に係止されるロック突起と、を含んで構成されることを特徴とする。
【００１５】
また、前記接続端子と前記端子装着部との間には、前記接続端子が前記端子装着部から離脱することを防止する離脱防止部が形成されることを特徴とする。
【００１６】
また、前記離脱防止部は、前記端子装着部の外周面に円周方向に形成されるロックグルーブ（ロック溝）と、前記リング型接続端子の内周面に形成されて前記ロックグルーブ（ロック溝）に係止されるロック突起と、を含んで構成されることを特徴とする。
【００１７】
さらに、本発明に係る携帯端末機は、各種回路部品が実装されるＰＣＢを備えた本体と、該本体に回動可能に連結され、所定の情報を表示するＬＣＤを備えた蓋部と、前記ＰＣＢの一方側に装着されてイヤホンのプラグが挿入されるイヤホンジャックと、を有し、前記イヤホンジャックは、プラグが挿入される挿入通路を有するボディーと、該ボディーに形成される端子装着部と、該端子装着部の外周面に装着されて、挿入されたプラグの接続部に挿入（嵌合）される接続端子と、該接続端子と前記端子装着部との間に形成されて、該リング型接続端子が前記端子装着部に対して相対的に回転することを防止する回転防止部と、を含んで構成されることを特徴とする。
【発明の効果】
【００１８】
本発明に係るイヤホンジャックによると、ボディーの端子装着部と、この端子装着部の外周面に装着されてプラグ側のリング型接続部に挿入（嵌挿）されるリング型接続端子との間に、端子装着部とリング型接続端子との間の相対回転を防止する回転防止部を備えているので、リング型接続部にリング型接続端子が挿し込まれた状態でプラグが回転するときであっても、プラグの回転に伴ってリング型接続端子が回転することが防止され、イヤホンジャックが破損することを防止するという効果がある。
【発明を実施するための最良の形態】
【００１９】
以下、図面を参照して、本発明に係るイヤホンジャック及びそのイヤホンジャックを備えた携帯端末機の実施形態を説明する。本発明に係るイヤホンジャック及びそのイヤホンジャックを備えた携帯端末機の実施形態は複数存在するが、ここでは、最も望ましい実施形態について説明する。
【００２０】
図１は、本発明の一実施形態に係るイヤホンジャックを備えた携帯端末機の斜視図であり、図２は、本発明の一実施形態に係るイヤホンジャックの斜視図である。
【００２１】
本実施形態に係る携帯端末機は、前面に各種メニューボタン１２及びダイヤルボタン１４などを備える本体１０と、使用者の所望する情報などの所定の情報を表示するＬＣＤ１６を備える蓋部２０と、本体１０と蓋部２０との間に形成されて蓋部２０を本体１０に対して回動可能に連結するヒンジ連結部２２と、該ヒンジ連結部２２の一方側に回転可能に装着されて写真を撮影するカメラ２４とを含んで構成される。
【００２２】
蓋部２０の上部（ヒンジ連結部２２から離れた位置）には、音声信号を出力するレシーバー２６が装着されている。本体１０の一方側（ヒンジ連結部２２から離れた位置）には、音声信号を入力するマイク２８が設置されている。また本体１０の内部には、各種情報を入力及び出力する各種回路部品が実装されるＰＣＢ３０が装着されており、このＰＣＢ３０の一方側には、イヤホンのプラグ３２が挿入されるイヤホンジャック３４が装着される。
【００２３】
イヤホンジャック３４は、図２に示すように、ＰＣＢ３０に固定され、該ＰＣＢ３０の端部側の面のほぼ中央にプラグ３２が挿入される挿入通路４０が形成されるボディー４２と、ボディー４２に形成された挿入通路４０に順次装着され、ＰＣＢ３０にハンダ付けなどで接続されるプレート型接続端子４４ａ、４４ｂ、４４ｃと、ボディー４２の前方、すなわち、プラグ３２が挿入される側の外周面に装着されるリング型接続端子５０と、を含んで構成される。
【００２４】
プラグ３２は、イヤホンコード５２が接続されるプラグボディー５４と、該プラグボディー５４に装着され、ボディー４２の挿入通路４０に挿入されるようにバー状（軸状）に形成されるバー型接続部５６と、プラグボディー５４に装着され、バー型接続部５６の外周面から所定間隔を有して設けられるリング状のリング型接続部５８とを含んで構成される。バー型接続部５６には、プラグボディー５４から所定間隔を置いて第１接続部６０ａ、第２接続部６０ｂ、第３接続部６０ｃが絶縁層６２を境界として（それぞれ絶縁層６２を挟んで）順次形成されている。
【００２５】
ボディー４２の前方（プラグ３２が挿入される側）には、リング型接続端子５０が装着される端子装着部６４が円筒状に形成される。ここでは、その内側が挿入通路４０となるボディー５４の円筒部を端子装着部６４としているが、これに限るものではない。
【００２６】
プレート型接続端子４４ａ、４４ｂ、４４ｃは、ボディー４２の挿入通路４０に順次装着されており、プラグ３２が挿入されると、第１接続端子４４ａがプラグ３２の第１接続部６０ａと接触し、第２接続端子４４ｂがプラグ３２の第２接続部６０ｂと接触し、第３接続端子４４ｃがプラグ３２の第３接続部６０ｃと接触するようになっている。
【００２７】
リング型接続端子５０は、ボディー４２の端子装着部６４の外周面に装着できるようにリング状に形成されており、その後方（すなわち、プラグ３２が挿入される側の反対側）には接続板６６が一体に形成されている。
【００２８】
接続板６６は、一端がリング型端子５０の後面に一体に連結される一方、他端はＰＣＢ３０にハンダ付けなどで接続された上で、ボディー４２に固定される。
【００２９】
リング型接続端子５０と端子装着部６４との間には、リング型接続端子５０が端子装着部６４に対して相対的に回転することを防止する回転防止部７０と、リング型接続端子５０が端子装着部６４から離脱することを防止する離脱防止部７６とが形成されている。
【００３０】
回転防止部７０は、図３に示すように、ボディー４２の端子装着部６４の外周面に突設されるロックリブ７２と、リング型接続端子５０の内周面に内側方向に突設されてロックリブ７２の側面に係止される回転防止用ロック突起７４とを含んで構成される。
【００３１】
ここで、ロックリブ７２は、端子装着部６４の外周面に軸方向に所定長さを有して突設されており、回転防止用ロック突起７４は、リング型接続端子５０の内側方向に凸状に突設されて、リング型接続端子５０が回転しようとするとロックリブ７２の一方の側面に係止される。
【００３２】
回転防止用ロック突起７４は、ロックリブ７２のいずれか一方の側面に係止されてリング型接続端子５０が一方向に回転することを防止する。このような回転防止部７０は、リング型接続端子５０が一方向に回転することをロック（防止）して、リング型接続端子５０と一体に形成される接続板６６とＰＣＢ３０との間のハンダ付け等による接続部位の破損を防止する。
【００３３】
回転防止部７０は、前述した構造以外にもリング型接続端子の回転を防止し得るいずれの構造でも適用できる。
【００３４】
離脱防止部７６は、図４に示すように、端子装着部６４の外周面に円周方向に形成されるロックグルーブ（ロック溝）７８と、リング型接続端子５０の内周面に内側方向に突設されてロックグルーブ（ロック溝）７８に係止される離脱防止用ロック突起８０とを含んで構成される。
【００３５】
ロックグルーブ７８は、端子装着部６４の外周面に所定間隔を置いて円周方向に所定の長さで形成される２つの突出部８２，８２間に形成される。
【００３６】
このような離脱防止部７６は、リング型接続端子５０側の離脱防止用ロック突起８０が端子装着部６４側のロックグルーブ（ロック溝）７８に挿入されてリング型接続端子５０が端子装着部６４に対して軸方向に移動することを防止することにより、リング型接続端子５０が端子装着部６４から離脱することを防止する。
【００３７】
以下、前述したように構成された本実施形態に係るイヤホンジャックの作用を説明する。
【００３８】
イヤホンジャック３４にプラグ３２が装着（挿入）されると、イヤホンジャック３４側のボディー４２に形成された挿入通路４０にプラグ３２のバー型接続部５６が挿入されると共に、プラグ３２側のリング型接続部５８（の内側）にイヤホンジャック３４側のリング型接続端子５０が挿入（嵌挿）される。
【００３９】
そうすると、プラグ３２側のバー型接続部５６の第１接続部６０ａがイヤホンジャック３４側の挿入通路４０内に装着された第１接続端子４４ａに接触し、第２接続部６０ｂが第２接続端子４４ｂに接触し、第３接続部６０ｃが第３接続端子４４ｃに接触し、プラグ３２側のリング型接続部５８の内周面がイヤホンジャック３４側のリング型接続端子５０の外周面と接触することにより、携帯端末機からの電気信号をイヤホンに伝達し、あるいは、イヤホンからの電気信号を携帯端末機に伝達する。
【００４０】
この状態で、プラグ３２が回転すると、リング型接続部５８にリング型接続端子５０が挿し込まれた状態で回転することになる。ここで、リング型接続端子５０は、回転防止部７０により端子装着部６４にロックされた状態であるため、その回転が防止される。これにより、プラグ３２の回転に伴ってリング型接続端子５０が回転することがなく、リング型接続端子５０自体が破損することや、リング型接続端子５０と一体に形成される接続板６６とＰＣＢ３０との間の接続部位が破損することなどを防止できる。
【００４１】
図５は、本発明に係るイヤホンジャックの回転防止部の第２実施形態を示す断面図である。
【００４２】
第２実施形態に係る回転防止部８４は、リング型接続端子５０が正方向及び逆方向に回転することを防止するために備えられたもので、ボディー４２の端子装着部６４の外周面に軸方向に所定の長さを有して突設されるロックリブ８８と、リング型接続端子５０の内周面に周方向に所定間隔を置いて内側方向に突設されてロックリブ８８の両側面にそれぞれ係止される一対の回転防止用ロック突起８６ａ、８６ｂとを含んで構成される。
【００４３】
このように、第２実施形態に係る回転防止部８４は、一対の回転防止用ロック突起８６ａ、８６ｂが突設されてロックリブ８８の両側面に係止されるようになっているので、リング型接続端子５０が正方向及び逆方向に回転することを防止する。
【００４４】
図６は、本発明に係るイヤホンジャックの回転防止部の第３実施形態を示す断面図である。
【００４５】
第３実施形態に係る回転防止部９２は、端子装着部６４の外周面に、軸方向に所定の長さを有するとともに周方向に所定間隔を有して突設される一対のロックリブ９１ａ、９１ｂと、リング型接続端子５０の内周面に内側方向に突設されて一対のロックリブ９１ａ、９１ｂ間に配置される回転防止用ロック突起９０と、を含んで構成される。
【００４６】
このような第３実施形態に係る回転防止部９２は、ロックリブ９１ａ、９１ｂが一対で構成され、該一対のロックリブ９１ａ、９１ｂ間に回転防止用ロック突起９０が位置することにより、リング型接続端子５０が正方向及び逆方向に回転することを阻止する。
【００４７】
図７は、本発明の第４実施形態に係るイヤホンジャックの回転防止部を示す断面図である。
【００４８】
第４実施形態に係る回転防止部９８は、リング型接続端子５０の後方端（一部）から軸方向に延設される係止突起９６と、ボディー４２に長手方向に形成されて係止突起９６が挿入されて係止される係止穴（又は係止溝）９４とから構成される。
【００４９】
このような第４実施形態に係る回転防止部９８は、リング型接続端子５０に形成された係止突起９６がボディー４２に形成された係止穴（又は係止溝）９４に挿入されることにより、リング型接続端子５０が回転することを防止する。
【図面の簡単な説明】
【００５０】
【図１】本発明の第１実施形態に係るイヤホンジャックが装着された携帯端末機の斜視図である。
【図２】第１実施形態に係るイヤホンジャックの斜視図である。
【図３】第１実施形態に係るイヤホンジャックの断面図である。
【図４】第１実施形態に係るイヤホンジャックの離脱防止部を示す斜視図である。
【図５】第２実施形態に係るイヤホンジャックの回転防止部の断面図である。
【図６】第３実施形態に係るイヤホンジャックの回転防止部の断面図である。
【図７】第４実施形態に係るイヤホンジャックの回転防止部の側面図である。
【図８】従来の技術に係るイヤホンジャックの斜視図である。
【図９】従来の技術に係るイヤホンジャックにイヤホンのプラグが挿入された状態を示す部分断面図である。
【符号の説明】
【００５１】
１０  本体
２０  蓋部
３０  ＰＣＢ
３２  プラグ
３４  イヤホンジャック
４０  挿入通路
４２  ボディー
５０  リング型接続突起
６４  端子装着部
６６  接続板
７０  回転防止部
７６  離脱防止部
７８  ロックグルーブ
８０  離脱防止用ロック突起
【図１】
2006190680.tif 000003
【図２】
2006190680.tif 000004
【図３】
2006190680.tif 000005
【図４】
2006190680.tif 000006
【図５】
2006190680.tif 000007
【図６】
2006190680.tif 000008
【図７】
2006190680.tif 000009
【図８】
2006190680.tif 000010
【図９】
2006190680.tif 000011